(57)【要約】【課題】  形状およびサイズが様々な印刷物を容易に生成することができる加工用データ生成プログラム、加工用データ生成システムおよび加工用データ生成方法を提供する。【解決手段】  加工用データ生成装置は、プリントデータのテンプレートのプレビュー画像を表示し（Ｓ１２１）、互いに同一のデザインでサイズが異なる複数の画像のそれぞれのプリントデータのテンプレートを含み、Ｓ１２１においてプレビュー画像が表示されたテンプレートの群からテンプレートの指定を受け付け（Ｓ１２２）、Ｓ１２２において指定が受け付けられたテンプレートの対象のプリントデータにおける画像のサイズに適合するカットのサイズのカットデータを特定し、このカットデータと、Ｓ１２２において指定が受け付けられたテンプレートの対象のプリントデータから作成されるプリントデータとを含むＰＯＰデータを生成することを特徴とする。【選択図】  図１０
2020032602.tif 000002
【特許請求の範囲】
【請求項１】
プリントデータおよびカットデータを含む加工用データを生成するための加工用データ生成プログラムであって、
前記プリントデータのテンプレートのプレビュー画像を表示するプレビュー画像表示手段と、
前記プレビュー画像表示手段によって前記プレビュー画像が表示された前記テンプレートの群から前記テンプレートの指定を受け付けるテンプレート指定受付手段と、
前記テンプレート指定受付手段によって指定が受け付けられた前記テンプレートから前記加工用データを生成する加工用データ生成手段と
をコンピューターに実現させ、
前記群は、互いに同一のデザインでサイズが異なる複数の画像のそれぞれの前記プリントデータの前記テンプレートを含み、
前記加工用データ生成手段は、前記テンプレート指定受付手段によって指定が受け付けられた前記テンプレートの対象の前記プリントデータにおける画像のサイズに適合するカットのサイズの前記カットデータを特定し、このカットデータと、前記テンプレート指定受付手段によって指定が受け付けられた前記テンプレートの対象の前記プリントデータから作成される前記プリントデータとを含む前記加工用データを生成することを特徴とする加工用データ生成プログラム。
【請求項２】
前記テンプレートは、対象の前記プリントデータにおける画像のサイズに適合するカットのサイズの前記カットデータを含み、
前記加工用データ生成手段は、前記テンプレート指定受付手段によって指定が受け付けられた前記テンプレートの対象の前記プリントデータにおける画像のサイズに適合するカットのサイズの前記カットデータとして、このテンプレートに含まれる前記カットデータを特定することを特徴とする請求項１に記載の加工用データ生成プログラム。
【請求項３】
前記プレビュー画像表示手段は、互いに同一のデザインでサイズが異なる複数の画像のそれぞれの前記プリントデータの前記テンプレートに対して、これらのテンプレートの全てに共通の前記プレビュー画像を１つのみ表示することを特徴とする請求項１または請求項２に記載の加工用データ生成プログラム。
【請求項４】
プリントデータおよびカットデータを含む加工用データを生成する加工用データ生成システムであって、
前記プリントデータのテンプレートのプレビュー画像を表示するプレビュー画像表示手段と、
前記プレビュー画像表示手段によって前記プレビュー画像が表示された前記テンプレートの群から前記テンプレートの指定を受け付けるテンプレート指定受付手段と、
前記テンプレート指定受付手段によって指定が受け付けられた前記テンプレートから前記加工用データを生成する加工用データ生成手段と
を備え、
前記群は、互いに同一のデザインでサイズが異なる複数の画像のそれぞれの前記プリントデータの前記テンプレートを含み、
前記加工用データ生成手段は、前記テンプレート指定受付手段によって指定が受け付けられた前記テンプレートの対象の前記プリントデータにおける画像のサイズに適合するカットのサイズの前記カットデータを特定し、このカットデータと、前記テンプレート指定受付手段によって指定が受け付けられた前記テンプレートの対象の前記プリントデータから作成される前記プリントデータとを含む前記加工用データを生成することを特徴とする加工用データ生成システム。
【請求項５】
インク吐出ヘッドからインクを吐出することにより記録媒体に対してプリント画像のプリントを行うとともにカッティングヘッドによって前記記録媒体をカットするための加工用データ生成システムにおいて、
前記プリント画像のプリントデータのテンプレートの複数のプレビュー画像を表示するプレビュー画像表示手段と、
前記プレビュー画像表示手段によって表示された前記複数のプレビュー画像の中から選択された前記テンプレートの指定を受け付けるテンプレート指定受付手段と、
前記テンプレート指定受付手段によって指定が受け付けられた前記テンプレートの対象の前記プリントデータにおける画像のサイズに適合するカットのサイズのカットデータを特定するカットデータ特定手段と
を備えることを特徴とする加工用データ生成システム。
【請求項６】
プリントデータおよびカットデータを含む加工用データを生成する加工用データ生成方法であって、
前記プリントデータのテンプレートのプレビュー画像を表示するプレビュー画像表示ステップと、
前記プレビュー画像表示ステップによって前記プレビュー画像が表示された前記テンプレートの群から前記テンプレートの指定を受け付けるテンプレート指定受付ステップと、
前記テンプレート指定受付ステップによって指定が受け付けられた前記テンプレートから前記加工用データを生成する加工用データ生成ステップと
を備え、
前記群は、互いに同一のデザインでサイズが異なる複数の画像のそれぞれの前記プリントデータの前記テンプレートを含み、
前記加工用データ生成ステップは、前記テンプレート指定受付ステップによって指定が受け付けられた前記テンプレートの対象の前記プリントデータにおける画像のサイズに適合するカットのサイズの前記カットデータを特定し、このカットデータと、前記テンプレート指定受付ステップによって指定が受け付けられた前記テンプレートの対象の前記プリントデータから作成される前記プリントデータとを含む前記加工用データを生成するステップであることを特徴とする加工用データ生成方法。
【発明の詳細な説明】
【技術分野】
【０００１】
本発明は、プリントデータを生成するための加工用データ生成プログラム、加工用データ生成システムおよび加工用データ生成方法に関する。
【背景技術】
【０００２】
従来、インターネットを介してサイトにアクセスした後、サイト上で、ＰＯＰ用の用紙のサイズの選択、ＰＯＰの対象の商品の選択、ＰＯＰのレイアウトの選択、ＰＯＰの対象の商品の売価の入力などを行うことによってＰＯＰのＰＤＦファイルを生成することができる技術が知られている（例えば、特許文献１参照。）。
【先行技術文献】
【特許文献】
【０００３】
【特許文献１】特開２００５−１２８６７７号公報
【発明の概要】
【発明が解決しようとする課題】
【０００４】
しかしながら、特許文献１に記載された技術においては、既存の用紙の形状およびサイズのＰＯＰしか作成することができないという問題がある。
【０００５】
そこで、本発明は、形状およびサイズが様々な印刷物を容易に生成することができる加工用データ生成プログラム、加工用データ生成システムおよび加工用データ生成方法を提供することを目的とする。
【課題を解決するための手段】
【０００６】
本発明の加工用データ生成プログラムは、プリントデータおよびカットデータを含む加工用データを生成するための加工用データ生成プログラムであって、前記プリントデータのテンプレートのプレビュー画像を表示するプレビュー画像表示手段と、前記プレビュー画像表示手段によって前記プレビュー画像が表示された前記テンプレートの群から前記テンプレートの指定を受け付けるテンプレート指定受付手段と、前記テンプレート指定受付手段によって指定が受け付けられた前記テンプレートから前記加工用データを生成する加工用データ生成手段とをコンピューターに実現させ、前記群は、互いに同一のデザインでサイズが異なる複数の画像のそれぞれの前記プリントデータの前記テンプレートを含み、前記加工用データ生成手段は、前記テンプレート指定受付手段によって指定が受け付けられた前記テンプレートの対象の前記プリントデータにおける画像のサイズに適合するカットのサイズの前記カットデータを特定し、このカットデータと、前記テンプレート指定受付手段によって指定が受け付けられた前記テンプレートの対象の前記プリントデータから作成される前記プリントデータとを含む前記加工用データを生成することを特徴とする。
【０００７】
この構成により、本発明の加工用データ生成プログラムを実行するコンピューターは、プリントデータのみでなくカットデータを含む加工用データを生成するので、形状およびサイズが様々な印刷物を容易に生成することができる。また、本発明の加工用データ生成プログラムを実行するコンピューターは、指定されたテンプレートの対象のプリントデータにおける画像のサイズに適合するカットのサイズのカットデータを特定し、このカットデータと、指定されたテンプレートの対象のプリントデータから作成されるプリントデータとを含む加工用データを生成するので、プリントデータにおける画像のサイズと、カットデータにおけるカットのサイズとを利用者が適合させる必要がなく、印刷物を容易に生成することができる。
【０００８】
本発明の加工用データ生成プログラムにおいて、前記テンプレートは、対象の前記プリントデータにおける画像のサイズに適合するカットのサイズの前記カットデータを含み、前記加工用データ生成手段は、前記テンプレート指定受付手段によって指定が受け付けられた前記テンプレートの対象の前記プリントデータにおける画像のサイズに適合するカットのサイズの前記カットデータとして、このテンプレートに含まれる前記カットデータを特定しても良い。
【０００９】
この構成により、本発明の加工用データ生成プログラムを実行するコンピューターは、対象のプリントデータにおける画像のサイズに適合するカットのサイズのカットデータを含むテンプレートから新たな加工用データを生成するので、利用者がプリントデータのテンプレートと、カットデータとを別々に指定する必要がなく、印刷物を容易に生成することができる。
【００１０】
本発明の加工用データ生成プログラムにおいて、前記プレビュー画像表示手段は、互いに同一のデザインでサイズが異なる複数の画像のそれぞれの前記プリントデータの前記テンプレートに対して、これらのテンプレートの全てに共通の前記プレビュー画像を１つのみ表示しても良い。
【００１１】
この構成により、本発明の加工用データ生成プログラムを実行するコンピューターは、互いに同一のデザインでサイズが異なる複数の画像のそれぞれのプリントデータのテンプレートに対して、これらのテンプレートの全てに共通のプレビュー画像を１つのみ表示するので、互いに同一のデザインでサイズが異なる複数の画像のそれぞれのプリントデータのテンプレートに対してテンプレート毎にプレビュー画像を表示する構成と比較して、画面におけるテンプレートの指定を容易化することができ、その結果、印刷物を容易に生成することができる。
【００１２】
本発明の加工用データ生成システムは、プリントデータおよびカットデータを含む加工用データを生成する加工用データ生成システムであって、前記プリントデータのテンプレートのプレビュー画像を表示するプレビュー画像表示手段と、前記プレビュー画像表示手段によって前記プレビュー画像が表示された前記テンプレートの群から前記テンプレートの指定を受け付けるテンプレート指定受付手段と、前記テンプレート指定受付手段によって指定が受け付けられた前記テンプレートから前記加工用データを生成する加工用データ生成手段とを備え、前記群は、互いに同一のデザインでサイズが異なる複数の画像のそれぞれの前記プリントデータの前記テンプレートを含み、前記加工用データ生成手段は、前記テンプレート指定受付手段によって指定が受け付けられた前記テンプレートの対象の前記プリントデータにおける画像のサイズに適合するカットのサイズの前記カットデータを特定し、このカットデータと、前記テンプレート指定受付手段によって指定が受け付けられた前記テンプレートの対象の前記プリントデータから作成される前記プリントデータとを含む前記加工用データを生成することを特徴とする。
【００１３】
この構成により、本発明の加工用データ生成システムは、プリントデータのみでなくカットデータを含む加工用データを生成するので、形状およびサイズが様々な印刷物を容易に生成することができる。また、本発明の加工用データ生成システムは、指定されたテンプレートの対象のプリントデータにおける画像のサイズに適合するカットのサイズのカットデータを特定し、このカットデータと、指定されたテンプレートの対象のプリントデータから作成されるプリントデータとを含む加工用データを生成するので、プリントデータにおける画像のサイズと、カットデータにおけるカットのサイズとを利用者が適合させる必要がなく、印刷物を容易に生成することができる。
【００１４】
本発明の加工用データ生成システムは、インク吐出ヘッドからインクを吐出することにより記録媒体に対してプリント画像のプリントを行うとともにカッティングヘッドによって前記記録媒体をカットするための加工用データ生成システムにおいて、前記プリント画像のプリントデータのテンプレートの複数のプレビュー画像を表示するプレビュー画像表示手段と、前記プレビュー画像表示手段によって表示された前記複数のプレビュー画像の中から選択された前記テンプレートの指定を受け付けるテンプレート指定受付手段と、前記テンプレート指定受付手段によって指定が受け付けられた前記テンプレートの対象の前記プリントデータにおける画像のサイズに適合するカットのサイズのカットデータを特定するカットデータ特定手段とを備えることを特徴とする。
【００１５】
この構成により、本発明の加工用データ生成システムは、プリントデータのみでなくカットデータを特定するので、形状およびサイズが様々な印刷物を容易に生成することができる。また、本発明の加工用データ生成システムは、指定されたテンプレートの対象のプリントデータにおける画像のサイズに適合するカットのサイズのカットデータを特定するので、プリントデータにおける画像のサイズと、カットデータにおけるカットのサイズとを利用者が適合させる必要がなく、印刷物を容易に生成することができる。
【００１６】
本発明の加工用データ生成方法は、プリントデータおよびカットデータを含む加工用データを生成する加工用データ生成方法であって、前記プリントデータのテンプレートのプレビュー画像を表示するプレビュー画像表示ステップと、前記プレビュー画像表示ステップによって前記プレビュー画像が表示された前記テンプレートの群から前記テンプレートの指定を受け付けるテンプレート指定受付ステップと、前記テンプレート指定受付ステップによって指定が受け付けられた前記テンプレートから前記加工用データを生成する加工用データ生成ステップとを備え、前記群は、互いに同一のデザインでサイズが異なる複数の画像のそれぞれの前記プリントデータの前記テンプレートを含み、前記加工用データ生成ステップは、前記テンプレート指定受付ステップによって指定が受け付けられた前記テンプレートの対象の前記プリントデータにおける画像のサイズに適合するカットのサイズの前記カットデータを特定し、このカットデータと、前記テンプレート指定受付ステップによって指定が受け付けられた前記テンプレートの対象の前記プリントデータから作成される前記プリントデータとを含む前記加工用データを生成するステップであることを特徴とする。
【００１７】
この構成により、本発明の加工用データ生成方法は、プリントデータのみでなくカットデータを含む加工用データを生成するので、形状およびサイズが様々な印刷物を容易に生成することができる。また、本発明の加工用データ生成方法は、指定されたテンプレートの対象のプリントデータにおける画像のサイズに適合するカットのサイズのカットデータを特定し、このカットデータと、指定されたテンプレートの対象のプリントデータから作成されるプリントデータとを含む加工用データを生成するので、プリントデータにおける画像のサイズと、カットデータにおけるカットのサイズとを利用者が適合させる必要がなく、印刷物を容易に生成することができる。
【発明の効果】
【００１８】
本発明の加工用データ生成プログラム、加工用データ生成システムおよび加工用データ生成方法は、形状およびサイズが様々な印刷物を容易に生成することができる。
【図面の簡単な説明】
【００１９】
【図１】本発明の一実施の形態に係るＰＯＰ生成システムのブロック図である。
【図２】図１に示す加工用データ生成装置のブロック図である。
【図３】標準モードにおける図２に示す加工用データ生成プログラムの機能の一覧を示す図である。
【図４】図１に示す加工装置によってプリントされる画像の一部を示す図である。
【図５】アドバンスモードにおける図２に示す加工用データ生成プログラムの機能の一覧を示す図である。
【図６】図２に示す加工用データ生成プログラムのアドバンスモードによって作成可能なテンプレートの例を示す図である。
【図７】加工用データ生成装置がテンプレート提供システムからテンプレートをダウンロードしてインポートする場合の図１に示すＰＯＰ生成システムの動作のシーケンス図である。
【図８】図２に示す加工用データ生成装置の表示部に表示されるテンプレート提供画面の一例を示す図である。
【図９】図２に示す加工用データ生成装置の表示部に表示されるテンプレート提供画面の、図８に示す例とは異なる一例を示す図である。
【図１０】テンプレートからＰＯＰデータの作成を開始する場合の図２に示す加工用データ生成装置の動作のフローチャートである。
【図１１】図２に示す加工用データ生成装置の表示部に表示されるテンプレート選択画面の一例を示す図である。
【図１２】図２に示す加工用データ生成装置の表示部に表示されるテンプレート選択画面の、図１１に示す例とは異なる一例を示す図である。
【図１３】ＰＯＰデータに基づいた加工を加工装置に実行させる場合の図２に示す加工用データ生成装置の動作のフローチャートである。
【発明を実施するための形態】
【００２０】
以下、本発明の一実施の形態について、図面を用いて説明する。
【００２１】
まず、本実施の形態に係る印刷物生成システムとしてのＰＯＰ生成システムの構成について説明する。
【００２２】
図１は、本実施の形態に係るＰＯＰ生成システム１０のブロック図である。
【００２３】
図１に示すように、ＰＯＰ生成システム１０は、印刷物としてのＰＯＰのプリントおよびカットを実行する加工装置２０を備えている。加工装置２０は、インク吐出ヘッドからインクを吐出することにより記録媒体に対してプリント画像のプリントを実行する例えばインクジェットプリンターなどのプリント装置の機能と、カッティングヘッドによって記録媒体に対してカットを実行する例えばカッティングプロッターなどのカット装置の機能とを両方備えた装置である。すなわち、加工装置２０は、プリント装置であるとともに、カット装置でもある。ＰＯＰ生成システム１０は、加工装置２０以外にも、加工装置２０と同様の構成の加工装置を少なくとも１つ備えることが可能である。
【００２４】
ＰＯＰ生成システム１０は、ＰＯＰ生成システム１０に含まれる加工装置にＰＯＰのプリントおよびカットを実行させるための加工用データとしてのＰＯＰデータを生成する加工用データ生成装置３０を備えている。ＰＯＰ生成システム１０は、加工用データ生成装置３０以外にも、加工用データ生成装置３０と同様の構成の加工用データ生成装置を少なくとも１つ備えることが可能である。
【００２５】
ＰＯＰデータは、加工装置にＰＯＰをプリントさせるためのプリントデータと、加工装置にＰＯＰをカットさせるためのカットデータとを含むデータである。
【００２６】
図２は、加工用データ生成装置３０のブロック図である。
【００２７】
図２に示すように、加工用データ生成装置３０は、種々の操作が入力される例えばキーボード、マウスなどの操作デバイスである操作部３１と、種々の情報を表示する例えばＬＣＤ（Ｌｉｑｕｉｄ  Ｃｒｙｓｔａｌ  Ｄｉｓｐｌａｙ）などの表示デバイスである表示部３２と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、外部の装置と通信を行う通信デバイスである通信部３３と、各種の情報を記憶する例えば半導体メモリー、ＨＤＤ（Ｈａｒｄ  Ｄｉｓｋ  Ｄｒｉｖｅ）などの不揮発性の記憶デバイスである記憶部３４と、加工用データ生成装置３０全体を制御する制御部３５とを備えている。加工用データ生成装置３０は、例えば、ＰＣ（Ｐｅｒｓｏｎａｌ  Ｃｏｍｐｕｔｅｒ）などのコンピューターによって構成されても良い。
【００２８】
記憶部３４は、ＰＯＰデータを生成するための加工用データ生成プログラム３４ａを記憶している。加工用データ生成プログラム３４ａは、一般のユーザーに提供する標準モードと、ＰＯＰデータのテンプレート（以下、単に「テンプレート」という。）を作成する特殊なユーザー（以下「デザイナー」という。）に提供するアドバンスモードとを備えている。
【００２９】
記憶部３４は、ＰＯＰデータに基づいたＰＯＰのプリントおよびカットを加工装置に実行させるためのＲＩＰ（Ｒａｓｔｅｒ  Ｉｍａｇｅ  Ｐｒｏｃｅｓｓｏｒ）プログラム３４ｂを記憶している。
【００３０】
加工用データ生成プログラム３４ａおよびＲＩＰプログラム３４ｂは、それぞれ、例えば、加工用データ生成装置３０の製造段階で加工用データ生成装置３０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリーなどの外部の記憶媒体から加工用データ生成装置３０に追加でインストールされても良いし、ネットワーク上から加工用データ生成装置３０に追加でインストールされても良い。
【００３１】
記憶部３４は、テンプレート３４ｃを記憶可能である。記憶部３４は、テンプレート３４ｃ以外にも、テンプレート３４ｃと同様の構成のテンプレートを少なくとも１つ記憶可能である。
【００３２】
記憶部３４は、ＰＯＰデータ３４ｄを記憶可能である。記憶部３４は、ＰＯＰデータ３４ｄ以外にも、ＰＯＰデータ３４ｄと同様の構成のＰＯＰデータを少なくとも１つ記憶可能である。
【００３３】
制御部３５は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、制御部３５のＣＰＵの作業領域として用いられるメモリーとしてのＲＡＭ（Ｒａｎｄｏｍ  Ａｃｃｅｓｓ  Ｍｅｍｏｒｙ）とを備えている。制御部３５のＣＰＵは、記憶部３４または制御部３５のＲＯＭに記憶されているプログラムを実行する。
【００３４】
制御部３５は、加工用データ生成プログラム３４ａを実行することによって、テンプレートのプレビュー画像を表示するプレビュー画像表示手段３５ａと、プレビュー画像表示手段３５ａによってプレビュー画像が表示されたテンプレートの群からテンプレートの指定を受け付けるテンプレート指定受付手段３５ｂと、テンプレート指定受付手段３５ｂによって指定が受け付けられたテンプレートからＰＯＰデータを生成する加工用データ生成手段３５ｃとを実現する。
【００３５】
図１に示すように、ＰＯＰ生成システム１０は、テンプレートを提供するテンプレート提供システム４０を備えている。テンプレート提供システム４０は、１台のコンピューターによって構成されても良いし、複数台のコンピューターによって構成されても良い。テンプレート提供システム４０は、クラウド上で動作するシステムでも良い。テンプレート提供システム４０は、テンプレートを提供するためのＷｅｂサイト（以下「テンプレート提供サイト」という。）を提供し、テンプレート提供サイトを通じてテンプレートを提供する。
【００３６】
ＰＯＰ生成システム１０は、加工用データ生成プログラムのライセンス認証を実行するためのライセンス管理サーバー５０を備えている。
【００３７】
加工用データ生成装置３０は、ＬＡＮ（Ｌｏｃａｌ  Ａｒｅａ  Ｎｅｔｗｏｒｋ）などのネットワーク１１を介して加工装置２０と通信可能である。なお、加工用データ生成装置３０は、ネットワーク１１を介さずに有線または無線によって直接に加工装置２０と通信可能であっても良い。ＰＯＰ生成システム１０に含まれる加工用データ生成装置は、加工用データ生成装置３０と同様に、ＰＯＰ生成システム１０に含まれるいずれかの加工装置と、ネットワークを介して、または、ネットワークを介さずに有線または無線によって直接に、通信可能である。
【００３８】
加工用データ生成装置３０は、インターネット１２を介してテンプレート提供システム４０およびライセンス管理サーバー５０と通信可能である。ＰＯＰ生成システム１０に含まれる加工用データ生成装置は、加工用データ生成装置３０と同様に、テンプレート提供システム４０およびライセンス管理サーバー５０とインターネット１２を介して通信可能である。
【００３９】
次に、加工用データ生成プログラム３４ａの機能について説明する。
【００４０】
図３は、標準モードにおける加工用データ生成プログラム３４ａの機能の一覧を示す図である。
【００４１】
図３に示すように、加工用データ生成プログラム３４ａは、ＰＯＰデータの作成を開始する「作成」機能と、ＰＯＰデータのプリントデータにｊｐｅｇ画像、ｂｍｐ画像などの画像を差し込む「画像入力」機能と、ＰＯＰデータを編集する「編集」機能と、ＰＯＰデータをＲＩＰプログラム３４ｂに出力する「出力」機能と、テンプレート提供システム４０によって提供されているテンプレートをインポートする「インポート」機能とを加工用データ生成装置３０に実現させることが可能である。
【００４２】
「作成」機能には、記憶部３４に記憶されているテンプレートのうち操作部３１を介して指定されたテンプレートを基にＰＯＰデータの作成を開始する「テンプレートから作成」機能と、記憶部３４に記憶されているＰＯＰデータのうち操作部３１を介して指定されたＰＯＰデータを基に新たなＰＯＰデータの作成を開始する「再作成」機能とが含まれている。
【００４３】
「画像入力」機能は、例えば実際の商品の画像などの画像をＰＯＰデータのプリントデータに差し込むことができるだけでなく、プリントデータに差し込んだ画像のサイズを変更したり、プリントデータに差し込んだ画像の回転や移動を実行したりすることができる機能である。
【００４４】
「編集」機能には、ＰＯＰデータのプリントデータにおける文字を編集することができる「文字」機能と、ＰＯＰデータのプリントデータにおける図形を編集することができる「図形」機能と、カット装置によるカットの位置の調整のためにカット装置によって読み込まれるためのトンボをＰＯＰデータのプリントデータに付加することができる「トンボ」機能と、「画像入力」機能によって差し込まれた画像を特定の図形によってマスク処理することができる「マスク」機能とが含まれている。
【００４５】
「文字」機能は、文字列を別の文字列に変更することができるだけでなく、文字のフォントやカラーを変更したり、文字の回転や移動を実行したりすることができる機能である。
【００４６】
「図形」機能は、図形を別の図形に変更することができるだけでなく、図形のサイズやカラーを変更したり、図形の回転や移動を実行したりすることができる機能である。「図形」機能によって変更可能な図形は、例えば円、多角形（三角形、四角形、星など）、雲、ハートなどの図形である。
【００４７】
「トンボ」機能は、外トンボや内トンボを付加することができるだけでなく、トンボの塗り潰しを実行することができる。トンボの塗り潰しとは、ＰＯＰデータに基づいた画像がプリント装置によって例えばＰＥＴ（ｐｏｌｙｅｔｈｙｌｅｎｅ  ｔｅｒｅｐｈｔｈａｌａｔｅ）などの記録媒体に印刷された場合に、例えば図４に示すように、記録媒体６０の色と、トンボ６１の色とが同一または類似であってもトンボ６１がカット装置によって適切に認識されるために、記録媒体６０の色と、トンボ６１の色との両方と同一ではなく類似もしない色の塗り潰し部分６２をトンボ６１の周りに付加することである。
【００４８】
「マスク」機能は、「画像入力」機能によって差し込まれた画像を、例えば円、多角形（三角形、四角形、星など）、雲、ハートなど、操作部３１を介して指定された図形によってマスク処理することができる機能である。
【００４９】
「出力」機能は、回転、ミラーなどの印刷方法と、印刷部数とが操作部３１を介して設定されることができる機能である。
【００５０】
「インポート」機能は、テンプレート提供システム４０が提供するテンプレート提供サイトから操作部３１を介して選択されたテンプレートを記憶部３４にダウンロードする機能である。
【００５１】
以上に説明した機能は、標準モードにおける加工用データ生成プログラム３４ａの機能である。加工用データ生成プログラム３４ａは、アドバンスモードにおいて、標準モードにおける機能に加えて、以下の機能を加工用データ生成装置３０に実現させることが可能である。
【００５２】
図５は、アドバンスモードにおける加工用データ生成プログラム３４ａの機能の一覧を示す図である。
【００５３】
図５に示すように、加工用データ生成プログラム３４ａは、テンプレートやＰＯＰデータを基にＰＯＰデータの作成を開始するのではなく新規にＰＯＰデータの作成を開始する「新規作成」機能を、「作成」機能の１つとして、加工用データ生成装置に実現させることが可能である。
【００５４】
加工用データ生成プログラム３４ａは、「編集」機能の１つとして、「拡張」機能を加工用データ生成装置に実現させることが可能である。「拡張」機能には、ベクターオブジェクトの線分を編集する「ペン」機能と、フリーハンドで図形を描く「鉛筆」機能と、ユーザーによって指定された色でｊｐｅｇデータ、ｂｍｐデータなどの画像データにおいて画像の輪郭を抽出する「トレース」機能と、ベクターデータの矩形で輪郭を抽出する「輪郭抽出」機能と、文字や図形などを誤って剥がしてしまう可能性を軽減する「カス取り線」機能と、ベクターデータをプリントデータやカットデータに変換する「データ変換」機能と、四角形や円形を結合し、ベクターオブジェクトに変換する「図形変換」機能とが含まれている。
【００５５】
図６は、加工用データ生成プログラムのアドバンスモードによって作成可能なテンプレートの例を示す図である。
【００５６】
デザイナーは、例えば図６（ａ）に示すようなスイングＰＯＰ、例えば図６（ｂ）に示すようなプライスカード、例えば図６（ｃ）に示すような天吊りＰＯＰなど、様々な種類のＰＯＰのテンプレートを、加工用データ生成プログラムのアドバンスモードによって作成することができる。なお、図６（ｂ）に示すテンプレートにおいて、「商品名」という文字列は、実際の商品名を示す文字列に変更されることを想定している文字列である。また、図６（ｂ）に示すテンプレートにおいて、「値段」という文字列は、実際の商品の値段を示す数字の文字列に変更されることを想定している文字列である。
【００５７】
デザイナーによって加工用データ生成プログラムのアドバンスモードによって作成されたテンプレートは、例えばテンプレート提供システム４０の管理者によってテンプレート提供システム４０に登録される。
【００５８】
次に、ＰＯＰ生成システム１０の動作について説明する。
【００５９】
まず、加工用データ生成装置３０がテンプレート提供システム４０からテンプレートをダウンロードしてインポートする場合のＰＯＰ生成システム１０の動作について説明する。
【００６０】
図７は、加工用データ生成装置３０がテンプレート提供システム４０からテンプレートをダウンロードしてインポートする場合のＰＯＰ生成システム１０の動作のシーケンス図である。
【００６１】
加工用データ生成装置３０のプレビュー画像表示手段３５ａは、操作部３１を介して加工用データ生成プログラム３４ａの「インポート」機能の実行が指示されると、図７に示すように、テンプレート提供システム４０が提供するテンプレート提供サイトにアクセスする（Ｓ１０１）。
【００６２】
テンプレート提供システム４０は、Ｓ１０１においてテンプレート提供サイトにアクセスされると、テンプレート提供サイトの画面（以下「テンプレート提供画面」という。）のデータを加工用データ生成装置３０に送信する（Ｓ１０２）。
【００６３】
加工用データ生成装置３０のプレビュー画像表示手段３５ａは、Ｓ１０２においてテンプレート提供画面のデータが送信されてくると、送信されてきたデータに基づいてテンプレート提供画面を表示部３２に表示する（Ｓ１０３）。
【００６４】
テンプレート提供画面においては、例えばクリスマス、正月などのジャンル毎にテンプレートを検索することができるようになっている。テンプレート提供サイトには、同一の画像のデザインに対して１つの画像のサイズのテンプレートのみが登録されている場合もあるし、同一の画像のデザインに対して複数の画像のサイズのそれぞれのテンプレートが登録されている場合もある。
【００６５】
図８、図９は、それぞれ、加工用データ生成装置３０の表示部３２に表示されるテンプレート提供画面７０の一例を示す図である。図８、図９に示すテンプレート提供画面７０は、クリスマス関連のテンプレートを示す画面である。
【００６６】
図８に示すテンプレート提供画面７０には、テンプレートのプレビュー画像７１ａ〜７１ｃおよび７２ａ〜７２ｃが示されている。プレビュー画像７１ａ〜７１ｃは、互いに同一のデザインでサイズが異なる複数の画像のそれぞれのプリントデータのＰＯＰデータのテンプレートに対してテンプレート毎に用意されているプレビュー画像である。同様に、プレビュー画像７２ａ〜７２ｃは、互いに同一のデザインでサイズが異なる複数の画像のそれぞれのプリントデータのＰＯＰデータのテンプレートに対してテンプレート毎に用意されているプレビュー画像である。プレビュー画像７１ａ〜７１ｃで示されるテンプレートにおいて、「商品名」という文字列は、実際の商品名を示す文字列に変更されることを想定している文字列である。プレビュー画像７１ａ〜７１ｃで示されるテンプレートにおいて、「値段」という文字列は、実際の商品の値段を示す数字の文字列に変更されることを想定している文字列である。テンプレート提供画面７０に示されるそれぞれのテンプレートの付近には、そのテンプレートをインポートするためのインポートボタン７９が配置されている。
【００６７】
図９に示すテンプレート提供画面７０には、テンプレートのプレビュー画像７１およびプレビュー画像７２が示されている。プレビュー画像７１は、互いに同一のデザインでサイズが異なる複数の画像のそれぞれのプリントデータのＰＯＰデータのテンプレートの全てに共通のプレビュー画像である。同様に、プレビュー画像７２は、互いに同一のデザインでサイズが異なる複数の画像のそれぞれのプリントデータのＰＯＰデータのテンプレートの全てに共通のプレビュー画像である。
【００６８】
テンプレート提供サイトは、図８に示すテンプレート提供画面７０と、図９に示すテンプレート提供画面７０とのいずれを提供しても良い。例えば、テンプレート提供サイトは、図８に示すテンプレート提供画面７０と、図９に示すテンプレート提供画面７０とのうち、加工用データ生成装置３０からの指示に応じた方を提供しても良い。
【００６９】
図７に示すように、加工用データ生成装置３０のテンプレート指定受付手段３５ｂは、Ｓ１０３の処理の後、Ｓ１０３において表示したテンプレート提供画面において操作部３１を介してインポートボタンが押されると、押されたインポートボタンに対応するテンプレートをテンプレート提供サイトに要求する（Ｓ１０４）。
【００７０】
テンプレート提供システム４０は、Ｓ１０４においてテンプレートが要求されると、要求されたテンプレートを加工用データ生成装置３０に送信する（Ｓ１０５）。
【００７１】
加工用データ生成装置３０のテンプレート指定受付手段３５ｂは、Ｓ１０５においてテンプレートが送信されてくると、送信されてきたテンプレートを記憶部３４に記憶する（Ｓ１０６）。すなわち、テンプレート指定受付手段３５ｂは、テンプレート提供システム４０によって提供されているテンプレートをテンプレート提供サイトからダウンロードしてインポートする。
【００７２】
次に、テンプレートからＰＯＰデータの作成を開始する場合の加工用データ生成装置３０の動作について説明する。
【００７３】
図１０は、テンプレートからＰＯＰデータの作成を開始する場合の加工用データ生成装置３０の動作のフローチャートである。
【００７４】
加工用データ生成装置３０のプレビュー画像表示手段３５ａは、操作部３１を介して加工用データ生成プログラム３４ａの「テンプレートから作成」機能の実行が指示されると、図１０に示す動作を実行する。
【００７５】
図１０に示すように、プレビュー画像表示手段３５ａは、記憶部３４に記憶されているテンプレートの選択画面（以下「テンプレート選択画面」という。）を表示部３２に表示する（Ｓ１２１）。
【００７６】
テンプレート選択画面においては、例えばクリスマス、正月などのジャンル毎にテンプレートを検索することができるようになっている。記憶部３４には、同一の画像のデザインに対して１つの画像のサイズのテンプレートのみが記憶されている場合もあるし、同一の画像のデザインに対して複数の画像のサイズのそれぞれのテンプレートが記憶されている場合もある。
【００７７】
図１１、図１２は、それぞれ、加工用データ生成装置３０の表示部３２に表示されるテンプレート選択画面８０の一例を示す図である。図１１、図１２に示すテンプレート選択画面８０は、クリスマス関連のテンプレートを示す画面である。
【００７８】
図１１に示すテンプレート選択画面８０には、テンプレートのプレビュー画像８１ａ〜８１ｃおよび８２ａ〜８２ｃが示されている。プレビュー画像８１ａ〜８１ｃは、プレビュー画像７１ａ〜７１ｃ（図８参照。）と同一のプレビュー画像であって、互いに同一のデザインでサイズが異なる複数の画像のそれぞれのプリントデータのＰＯＰデータのテンプレートに対してテンプレート毎に用意されているプレビュー画像である。同様に、プレビュー画像８２ａ〜８２ｃは、プレビュー画像７２ａ〜７２ｃ（図８参照。）と同一のプレビュー画像であって、互いに同一のデザインでサイズが異なる複数の画像のそれぞれのプリントデータのＰＯＰデータのテンプレートに対してテンプレート毎に用意されているプレビュー画像である。テンプレート選択画面８０に示されるそれぞれのテンプレートの付近には、そのテンプレートからＰＯＰデータの作成を開始するための作成開始ボタン８９が配置されている。
【００７９】
図１２に示すテンプレート選択画面８０には、テンプレートのプレビュー画像８１およびプレビュー画像８２が示されている。プレビュー画像８１は、プレビュー画像７１（図９参照。）と同一のプレビュー画像であって、互いに同一のデザインでサイズが異なる複数の画像のそれぞれのプリントデータのＰＯＰデータのテンプレートの全てに共通のプレビュー画像である。同様に、プレビュー画像８２は、プレビュー画像７２（図９参照。）と同一のプレビュー画像であって、互いに同一のデザインでサイズが異なる複数の画像のそれぞれのプリントデータのＰＯＰデータのテンプレートの全てに共通のプレビュー画像である。
【００８０】
プレビュー画像表示手段３５ａは、図１１に示すテンプレート選択画面８０と、図１２に示すテンプレート選択画面８０とのいずれを表示しても良い。例えば、プレビュー画像表示手段３５ａは、図１１に示すテンプレート選択画面８０と、図１２に示すテンプレート選択画面８０とのうち、操作部３１を介した指示に応じた方を表示しても良い。
【００８１】
図１０に示すように、テンプレート指定受付手段３５ｂは、Ｓ１２１の処理の後、Ｓ１２１において表示したテンプレート選択画面において操作部３１を介して作成開始ボタンが押されたと判断するまで、作成開始ボタンが押されたか否かを判断する（Ｓ１２２）。
【００８２】
加工用データ生成手段３５ｃは、作成開始ボタンが押されたとＳ１２２において判断すると、押された作成開始ボタンに対応するテンプレートからＰＯＰデータを作成するための図示していないＰＯＰデータ作成画面を表示部３２に表示して（Ｓ１２３）、図１０に示す動作を終了する。
【００８３】
次に、ＰＯＰデータから新たなＰＯＰデータの作成を開始する場合の加工用データ生成装置３０の動作について説明する。
【００８４】
ＰＯＰデータから新たなＰＯＰデータの作成を開始する場合の加工用データ生成装置３０の動作は、テンプレートからＰＯＰデータの作成を開始する場合の加工用データ生成装置３０の動作と同様である。加工用データ生成装置３０のプレビュー画像表示手段３５ａは、操作部３１を介して加工用データ生成プログラム３４ａの「再作成」機能の実行が指示されると、記憶部３４に記憶されているＰＯＰデータの選択画面（以下「ＰＯＰデータ選択画面」という。）を表示部３２に表示する。ここで、ＰＯＰデータ選択画面は、テンプレート選択画面においてテンプレートのプレビュー画像に代えてＰＯＰデータのプレビュー画像を配置した画面と同様の画面である。加工用データ生成装置３０の加工用データ生成手段３５ｃは、ＰＯＰデータ選択画面において操作部３１を介して押された作成開始ボタンに対応するＰＯＰデータから新たなＰＯＰデータを作成するための図示していないＰＯＰデータ作成画面を表示部３２に表示する。
【００８５】
加工用データ生成手段３５ｃは、テンプレートまたはＰＯＰデータからＰＯＰデータの作成を開始した後、ＰＯＰデータ作成画面を表示している場合に、操作部３１を介して加工用データ生成プログラム３４ａの「画像入力」機能の実行が指示されることによってＰＯＰデータに画像を差し込んだり、操作部３１を介して加工用データ生成プログラム３４ａの「編集」機能の実行が指示されることによってＰＯＰデータを編集したりすることによって、ＰＯＰデータを作成することができる。なお、加工用データ生成手段３５ｃは、ＰＯＰデータ作成画面を表示している場合に、ＰＯＰデータの作成の終了が操作部３１を介して指示されると、作成が終了したＰＯＰデータを記憶部３４に記憶する。
【００８６】
次に、ＰＯＰデータに基づいた加工を加工装置２０に実行させる場合の加工用データ生成装置３０の動作について説明する。
【００８７】
図１３は、ＰＯＰデータに基づいた加工を加工装置２０に実行させる場合の加工用データ生成装置３０の動作のフローチャートである。
【００８８】
加工用データ生成装置３０の制御部３５は、操作部３１を介して加工用データ生成プログラム３４ａの「出力」機能の実行が指示されると、図１３に示す動作を実行する。
【００８９】
図１３に示すように、制御部３５は、加工装置２０による加工の対象のＰＯＰデータ（以下「加工対象ＰＯＰデータ」という。）が指定されたと判断するまで、加工対象ＰＯＰデータが指定されたか否かを判断する（Ｓ１４１）。ここで、制御部３５は、記憶部３４に記憶されているＰＯＰデータが加工対象ＰＯＰデータとして操作部３１を介して指定されることができるし、ＰＯＰデータ作成画面を表示部３２に表示している場合には、ＰＯＰデータ作成画面の対象のＰＯＰデータが加工対象ＰＯＰデータとして操作部３１を介して指定されることもできる。
【００９０】
制御部３５は、加工対象ＰＯＰデータが指定されたとＳ１４１において判断すると、回転、ミラーなどの印刷方法と、印刷部数とが設定されたと判断するまで、印刷方法および印刷部数が設定されたか否かを判断する（Ｓ１４２）。ここで、制御部３５は、操作部３１を介して印刷方法および印刷部数が設定されることができる。
【００９１】
制御部３５は、印刷方法および印刷部数が設定されたとＳ１４２において判断すると、指定されたとＳ１４１において判断した加工対象ＰＯＰデータを、設定されたとＳ１４２において判断した印刷方法および印刷部数で加工することをＲＩＰプログラム３４ｂに指示する（Ｓ１４３）。
【００９２】
制御部３５は、Ｓ１４３の処理の後、ＲＩＰプログラム３４ｂを実行することによって、Ｓ１４３において指示された通りに加工装置２０を動作させるためのデータを生成する（Ｓ１４４）。ここで、制御部３５は、加工装置２０によって加工される記録媒体が透明であることが設定されている場合、加工対象ＰＯＰデータに応じて印刷される層の下地として白色の層を追加したデータをＳ１４４において生成する。
【００９３】
制御部３５は、Ｓ１４４の処理の後、Ｓ１４４において生成したデータを加工装置２０に出力して（Ｓ１４５）、図１３に示す動作を終了する。したがって、加工装置２０は、Ｓ１４３において指示された通りにプリントおよびカットを実行して、ＰＯＰを生成する。
【００９４】
以上に説明したように、加工用データ生成装置３０は、プリントデータのみでなくカットデータを含む加工用データとしてのＰＯＰデータを生成するので、形状およびサイズが様々なＰＯＰを容易に生成することができる。
【００９５】
加工用データ生成装置３０は、指定されたテンプレートの対象のプリントデータにおける画像のサイズに適合するカットのサイズのカットデータを特定し、このカットデータと、指定されたテンプレートの対象のプリントデータから作成されるプリントデータとを含むＰＯＰデータを生成するので、プリントデータにおける画像のサイズと、カットデータにおけるカットのサイズとを利用者が適合させる必要がなく、ＰＯＰを容易に生成することができる。
【００９６】
加工用データ生成装置３０は、指定されたテンプレートの対象のプリントデータにおける画像のサイズに適合するカットのサイズのカットデータとして、このテンプレートに含まれるカットデータを特定する。すなわち、加工用データ生成装置３０は、対象のプリントデータにおける画像のサイズに適合するカットのサイズのカットデータを含むテンプレートから新たなＰＯＰデータを生成する。したがって、加工用データ生成装置３０は、利用者がプリントデータのテンプレートと、カットデータとを別々に指定する必要がなく、ＰＯＰを容易に生成することができる。例えば、加工用データ生成装置３０は、スーパーマーケットのパート社員が例えば１０分間などの短時間でＰＯＰを生成することができる。
【００９７】
なお、加工用データ生成装置３０は、プリントデータのテンプレートと、カットデータとを別々に指定する構成でも良い。加工用データ生成装置３０は、プリントデータのテンプレートと、カットデータとを別々に指定する構成である場合、指定されたテンプレートの対象のプリントデータにおける画像のサイズに適合するカットのサイズのカットデータのみを利用者によって指定可能にしても良い。
【００９８】
加工用データ生成装置３０は、互いに同一のデザインでサイズが異なる複数の画像のそれぞれのプリントデータのＰＯＰデータのテンプレートに対して、これらのテンプレートの全てに共通のプレビュー画像を１つのみ表示する（図９、図１２参照。）場合、互いに同一のデザインでサイズが異なる複数の画像のそれぞれのプリントデータのＰＯＰデータのテンプレートに対してテンプレート毎にプレビュー画像を表示する（図８、図１１参照。）構成と比較して、テンプレート提供画面やテンプレート選択画面におけるテンプレートの指定を容易化することができ、その結果、ＰＯＰを容易に生成することができる。
【００９９】
ＰＯＰ生成システム１０は、本実施の形態において、プリントおよびカットを実行する加工装置を備えている。しかしながら、ＰＯＰ生成システム１０は、プリントを実行する例えばインクジェットプリンターなどのプリント装置と、カットを実行する例えばカッティングプロッターなどのカット装置とを別々に備えても良い。
【０１００】
本発明の加工用データ生成システムは、加工用データ生成装置３０のみで構成されても良いし、加工用データ生成装置３０と、他の電子機器とで構成されても良い。例えば、本発明の加工用データ生成システムは、加工用データ生成装置３０と、テンプレート提供システム４０とで構成されても良い。
【０１０１】
加工用データは、本実施の形態において、プリントデータおよびカットデータの両方を含んでいる。しかしながら、加工用データは、プリントデータおよびカットデータのうちいずれか一方のみを含んでいても良い。
【０１０２】
ＰＯＰ生成システム１０は、プリント装置と、カット装置とを別々に備える場合に、加工用データ生成装置３０においてプリントデータのテンプレートの指定を受け付け、このテンプレートに基づいたプリントデータに基づいてプリント装置で記録媒体に対してプリントを実行するとともに、このプリントデータをカット装置に転送して、このプリントデータにおける画像のサイズに適合するカットのサイズのカットデータをカット装置で特定し、プリント装置でプリントを実行した記録媒体に対して、カット装置で特定したカットデータに基づいてカット装置でカットを実行しても良い。
【０１０３】
ＰＯＰ生成システム１０は、同一のデザインのプリント画像についてサイズが異なる複数のカットデータをデフォルトで備えている構成でも良いし、同一のデザインのプリント画像について１つのサイズのカットデータしかデフォルトでは備えておらず、この１つのサイズのカットデータを拡大や縮小して使用する構成でも良い。
【符号の説明】
【０１０４】
３０  加工用データ生成装置（コンピューター、加工用データ生成システム）
３４ａ  加工用データ生成プログラム
３４ｃ  テンプレート
３４ｄ  ＰＯＰデータ（加工用データ）
３５ａ  プレビュー画像表示手段
３５ｂ  テンプレート指定受付手段
３５ｃ  加工用データ生成手段
４０  テンプレート提供システム（加工用データ生成システム）
７１  プレビュー画像
７１ａ〜７１ｃ  プレビュー画像
７２  プレビュー画像
７２ａ〜７２ｃ  プレビュー画像
８１  プレビュー画像
８１ａ〜８１ｃ  プレビュー画像
８２  プレビュー画像
８２ａ〜８２ｃ  プレビュー画像
【図１】
2020032602.tif 000003
【図２】
2020032602.tif 000004
【図３】
2020032602.tif 000005
【図４】
2020032602.tif 000006
【図５】
2020032602.tif 000007
【図６】
2020032602.tif 000008
【図７】
2020032602.tif 000009
【図８】
2020032602.tif 000010
【図９】
2020032602.tif 000011
【図１０】
2020032602.tif 000012
【図１１】
2020032602.tif 000013
【図１２】
2020032602.tif 000014
【図１３】
2020032602.tif 000015